(57)【特許請求の範囲】
【請求項１】
物体側より像側へ順に、負の屈折力の第１レンズ群、正の屈折力の第２レンズ群、負の屈折力の第３レンズ群、正の屈折力の第４レンズ群、負の屈折力の第５レンズ群、正の屈折力の第６レンズ群より構成され、隣り合うレンズ群の間隔を変化させてズーミングを行うズームレンズにおいて、
前記第１レンズ群は、正レンズを有し、前記第２レンズ群は複数の正レンズを有し、
前記第１レンズ群に含まれる正レンズの材料のアッベ数をνｄ、ｇ線とＦ線に関する部分分散比をθｇＦ、前記第２レンズ群に含まれる複数の正レンズの材料の屈折率の平均値をｎｄａｖｅとするとき、
０．０２＜θｇＦ−０．６４３８＋０．００１６８２×νｄ＜０．１
ｎｄａｖｅ＞１．７５
なる条件式を満足することを特徴とするズームレンズ。
【請求項２】
前記第１レンズ群に含まれる正レンズの材料のアッベ数νｄは、
νｄ＜２３
なる条件式を満足することを特徴とする請求項１に記載のズームレンズ。
【請求項３】
前記第１レンズ群は、最も物体側に、物体側の面が凸でメニスカス形状の負レンズを有し、該負レンズの材料の屈折率をｎｄＧ１とするとき、
ｎｄＧ１＞１．８０
なる条件式を満足することを特徴とする請求項１または２に記載のズームレンズ。
【請求項４】
前記第１レンズ群は、最も物体側に、物体側の面が凸でメニスカス形状の負レンズを有し、該負レンズの物体側の面の曲率半径をｒ１、前記第１レンズ群の焦点距離をｆ１とするとき、
−４＜ｒ１／ｆ１＜−１
なる条件式を満足することを特徴とする請求項１乃至３のいずれか１項に記載のズームレンズ。
【請求項５】
広角端から望遠端へのズーミングに際して、前記第１レンズ群は像側へ移動し、前記第２レンズ群は物体側へ移動し、前記第３レンズ群は物体側へ凸状の軌跡を描いて移動し、前記第４レンズ群は前記第２レンズ群と一体的に物体側へ移動し、前記第５レンズ群は物体側へ凸状の軌跡を描いて移動することを特徴とする請求項１乃至４のいずれか１項に記載のズームレンズ。
【請求項６】
請求項１乃至５のいずれか１項に記載のズームレンズと、該ズームレンズによって形成される像を受光する光電変換素子を有することを特徴とする撮像装置。
【発明の詳細な説明】
【技術分野】
【０００１】
本発明は、ズームレンズ及びそれを有する撮像装置に関し、例えばデジタルカメラ、ビデオカメラ、銀塩フィルム用カメラ、監視用のカメラ、ＴＶカメラ等の撮影系に好適なものである。
【背景技術】
【０００２】
従来より、負の屈折力のレンズ群が先行する（最も物体側に位置する）所謂ネガティブリード型のズームレンズが知られている。ネガティブリード型のズームレンズは、近接撮影距離を比較的短くすることができ、広画角化が比較的容易であり、バックフォーカスを長くすることが容易である。このため、一眼レフカメラ用の広画角の撮影レンズとして多く用いられている。
【０００３】
ネガティブリード型のズームレンズとして、物体側から像側へ順に、負・正・負・正の屈折力のレンズ群より成る４群ズームレンズが知られている（特許文献１）。この４群ズームレンズでは望遠端において第１レンズ群と第２レンズ群が全体として正のグループ、第３レンズ群と第４レンズ群が全体として負のグループを構成している。これにより、光学系全体として所謂テレフォトタイプのレンズ構成とし、望遠端においても明るいＦナンバーが得られるようにしている。
【０００４】
またネガティブリード型のズームレンズとして、物体側から像側へ順に負、正、負、正、負、正の６つのレンズ群を有する広画角で高ズーム比の６群ズームレンズが知られている（特許文献２、３）。この６群ズームレンズは前玉有効径を小型化しつつ、より広画角化を容易にしている。
【先行技術文献】
【特許文献】
【０００５】
【特許文献１】特開２００４−２１２５４１号公報
【特許文献２】特開２００４−１９８５２９号公報
【特許文献３】特開２００６−３３７６４７号公報
【発明の概要】
【発明が解決しようとする課題】
【０００６】
一般に、負の屈折力のレンズ群が先行するネガティブリード型のズームレンズは、広画角化が比較的容易であり、又長いバックフォーカスが容易に得られるという特徴がある。しかしながらネガティブリード型のズームレンズは開口絞りに対し、レンズ構成が非対称となるため、諸収差の補正が難しく、全ズーム範囲にわたり高い光学性能を得るのが難しい。例えば大口径比化を図ろうとすると、球面収差・コマ収差等の口径に依存する収差と色収差の補正が困難になってくる。
【０００７】
口径に依存する収差（球面収差・コマ収差等）は、軸上光束の入射高が高くなるレンズ群に高屈折率材を使用すると補正が容易になる。一方で色収差（特に軸上色収差）は軸上高束の入射高が高くなるレンズ群に異常分散性が強く低屈折率の硝材を使用して補正している。このように軸上光束の入射高が高くなるレンズ群における硝材の使い方が異なるため、大口径比のズームレンズでは球面収差・コマ収差等の口径に依存する収差と色収差の双方を良好に補正するのが難しい。この他、大口径比で広画角になると広角端においてサジタル像面湾曲（特に画面周辺での像面湾曲）が大きくなってくる。
【０００８】
サジタル像面湾曲は軸外光束の入射高が高い第１レンズ群のレンズ形状に大きく起因してくる。この収差は負の屈折力の第１レンズ群内の負レンズに出来るだけ高屈折率材料を用いると、低減することができる。一方で、ズーミングによる収差変動を減らすためには、各レンズ群で発生する収差を低減する必要がある。第１レンズ群内の１次色消しには、負レンズに低分散材料を使用し、正レンズに高分散材料を使用するのが一般的である。しかしながら低分散材料は一般に低屈折率であることが多く、そのためサジタル像面湾曲と色収差の補正の双方を良好に補正するのが難しい。
【０００９】
以上の理由により、ネガティブリード型のズームレンズにおいて、広画角化を図りつつ、色収差を良好に補正し、高い光学性能を得るには特に第１レンズ群のレンズ構成を適切に設定することが重要になってくる。
【００１０】
本発明は、大口径広画角で色収差や口径に依存する諸収差を良好に補正し、高い光学性能が得られるズームレンズ及びそれを有する撮像装置の提供を目的とする。
【課題を解決するための手段】
【００１１】
本発明のズームレンズは、物体側より像側へ順に、負の屈折力の第１レンズ群、正の屈折力の第２レンズ群、負の屈折力の第３レンズ群、正の屈折力の第４レンズ群、負の屈折力の第５レンズ群、正の屈折力の第６レンズ群より構成され、隣り合うレンズ群の間隔を変化させてズーミングを行うズームレンズにおいて、
前記第１レンズ群は、正レンズを有し、前記第２レンズ群は複数の正レンズを有し、
前記第１レンズ群に含まれる正レンズの材料のアッベ数をνｄ、ｇ線とＦ線に関する部分分散比をθｇＦ、前記第２レンズ群に含まれる複数の正レンズの材料の屈折率の平均値をｎｄａｖｅとするとき、
０．０２＜θｇＦ−０．６４３８＋０．００１６８２×νｄ＜０．１
ｎｄａｖｅ＞１．７５
なる条件式を満足することを特徴としている。
【発明の効果】
【００１２】
本発明によれば、大口径広画角で色収差や口径に依存する諸収差を良好に補正し、高い光学性能が得られるズームレンズが得られる。
【図面の簡単な説明】
【００１３】
【図１】（Ａ）、（Ｂ）、（Ｃ）  数値実施例１の広角端、中間のズーム位置、望遠端におけるレンズ構成図
【図２】（Ａ）、（Ｂ）、（Ｃ）  実施例１において物体距離が各々のズーム位置における焦点距離の５０倍のときの収差図
【図３】実施例２の広角端におけるレンズ構成図
【図４】（Ａ）、（Ｂ）、（Ｃ）  実施例２において物体距離が各々のズーム位置における焦点距離の５０倍のときの収差図
【図５】本発明の撮像装置の要部概略図
【発明を実施するための形態】
【００１４】
以下に、本発明のズームレンズ及びそれを有する撮像装置の実施の形態を添付の図面に基づいて詳細に説明する。本発明のズームレンズは、物体側より像側へ順に、負の屈折力の第１レンズ群、正の屈折力の第２レンズ群、負の屈折力の第３レンズ群、正の屈折力の第４レンズ群、負の屈折力の第５レンズ群、正の屈折力の第６レンズ群より構成されている。そして隣り合うレンズ群の間隔を変化させてズーミングを行っている。
【００１５】
図１（Ａ）、（Ｂ）、（Ｃ）はそれぞれ本発明の実施例１のズームレンズの広角端（短焦点距離端）、中間のズーム位置、望遠端（長焦点距離端）におけるレンズ断面図である。図２（Ａ）、（Ｂ）、（Ｃ）はそれぞれ実施例１のズームレンズの広角端、中間のズーム位置、望遠端において、各々の焦点距離の５０倍の距離の物体に合焦したときの収差図である。図３は本発明の実施例２のズームレンズの広角端におけるレンズ断面図である。
【００１６】
図４（Ａ）、（Ｂ）、（Ｃ）はそれぞれ実施例２のズームレンズの広角端、中間のズーム位置、望遠端において、各々の焦点距離の５０倍の距離の物体に合焦したときの収差図である。図５は本発明のズームレンズを備える一眼レフカメラ（撮像装置）の要部概略図である。
【００１７】
各実施例のズームレンズはビデオカメラやデジタルカメラそして銀塩フィルムカメラ等の撮像装置に用いられる撮影レンズ系（光学系）である。レンズ断面図において、左方が物体側（前方）で、右方が像側（後方）である。レンズ断面図において、ｉは物体側からのレンズ群の順番を示し、Ｌｉは第ｉレンズ群である。ＳＰは開口絞りである。ＳＳＰはＦナンバー絞り（Ｆｎｏ絞り）である。
【００１８】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する。矢印は広角端から望遠端へのズーミングにおける各レンズ群の移動軌跡を示している。
【００１９】
球面収差図はｄ線、ｇ線、正弦条件（Ｓ．Ｃ）について示している。非点収差図においてΔＭ、ΔＳはｄ線でのメリディオナル像面、サジタル像面である。倍率色収差図はｇ線について示している。ＦｎｏはＦナンバー、ωは半画角である。尚、以下の各実施例において広角端と望遠端は変倍用レンズ群が機構上光軸上を移動可能な範囲の両端に位置したときのズーム位置をいう。各実施例のズームレンズは、物体側より像側へ順に、負の屈折力の第１レンズ群Ｌ１、正の屈折力の第２レンズ群Ｌ２、負の屈折力の第３レンズ群Ｌ３、正の屈折力の第４レンズ群Ｌ４、負の屈折力の第５レンズ群Ｌ５、正の屈折力の第６レンズ群Ｌ６より成っている。
【００２０】
広角端から望遠端へのズーミングに際して第１レンズ群Ｌ１は像側へ移動し、第２レンズ群Ｌ２は物体側へ移動する。第３レンズ群Ｌ３は開口絞りＳＰ、Ｆｎｏ絞りＳＳＰと一体的に物体側に凸状の軌跡を描いて移動する。第４レンズ群Ｌ４は第２レンズ群Ｌ２と一体的に物体側へ移動する。第５レンズ群Ｌ５は物体側へ凸状の軌跡を描いて移動する。第６レンズ群Ｌ６はズーミング及びフォーカシングに際して不動である。無限遠物体から近距離物体へのフォーカスは第５レンズ群Ｌ５を像側へ移動させて行っている。第５レンズ群Ｌ５を光軸上移動させてフォーカシングを行うリヤーフォーカス式を採用している。
【００２１】
望遠端において無限遠物体から近距離物体へフォーカスを行う場合には、同図矢印５ｃに示すように第５レンズ群Ｌ５を後方に繰り込むことによって行っている。第５レンズ群Ｌ５の実線の曲線５ａと点線の曲線５ｂは各々無限遠物体と近距離物体にフォーカスしているときの広角端から望遠端へのズーミングに伴う際の像面変動を補正するための移動軌跡を示している。軽量な第５レンズ群Ｌ５をフォーカスの為に移動することで迅速なオートフォーカスを容易にしている。各実施例においてフォーカスは第５レンズ群以外のレンズ群を用いて行なっても良い。
【００２２】
本発明のズームレンズにおいて、第１レンズ群Ｌ１の物体側又は最終レンズ群の像側の少なくとも一方にコンバーターレンズやアフォーカルレンズ群等の屈折力のあるレンズ群が位置していても良い。
【００２３】
各実施例のズームレンズにおいて、第１レンズ群Ｌ１と第２レンズ群Ｌ２は、広角端から望遠端のズーミングに際して、第１レンズ群Ｌ１と第２レンズ群Ｌ２の間隔が狭まるように移動する。そして第１レンズ群Ｌ１は材料のアッベ数をνｄ、ｇ線とＦ線に関する部分分散比をθｇＦとする。このとき、
０．０２＜θｇＦ−０．６４３８＋０．００１６８２×νｄ＜０．１  ・・・（１）
なる条件式を満足する正レンズを有している。
【００２４】
なお、材料のアッベ数νｄとｇ線とＦ線に関する部分分散比θｇＦは、フラウンホーファー線のｄ線の屈折率をＮｄ、ｇ線の屈折率をＮｇ、Ｆ線の屈折率をＮＦ、Ｃ線の屈折率をＮＣとする。このとき、
νｄ＝（Ｎｄ−１）／（ＮＦ−ＮＣ）
θｇＦ＝（Ｎｇ−ＮＦ）／（ＮＦ−ＮＣ）
で定義される。
【００２５】
従来より多くの６群ズームレンズでは、望遠側において色収差を補正するために、軸上光束の入射高が高くなる第２レンズ群の正レンズの材料に異常部分分散性の強い硝材を用いていた。一方、軸上光束の入射高が高くなる第２レンズ群は球面収差の補正のため高屈折率の硝材を使用すると効果が大きい。そこで、各実施例のズームレンズでは、第２レンズ群で必要であった部分分散性の硝材を第１レンズ群内の正レンズ用いている。これにより、第２レンズ群に高屈折率の材料を使用して球面収差と色収差（特に軸上色収差）を補正している。また各実施例では、上記を鑑みて条件式（１）を満足するようにしている。
【００２６】
条件式（１）の上限を超えると色収差が補正過剰になってしまう。また、下限を超えると色収差補正の補正効果が減少するので良くない。各実施例において更に好ましくは、条件式（１）の数値範囲を次の如く設定するのが良い。
【００２７】
０．０２＜θｇＦ−０．６４３８＋０．００１６８２×νｄ＜０．０４・・・（１ａ）
尚、条件式（１）を満たす材料は、生産性や加工自由度としてＳｉＯ2を主成分とした材料が好ましい。
【００２８】
各実施例では以上のようにレンズ構成を特定している。これにより一眼レフカメラに好適で、広画角域を含み、大口径比化を達成しながらも、色収差・口径に依存する諸収差を良好に補正し、高い光学性能を有したズームレンズを得ている。
【００２９】
各実施例において、更に好ましくは次の諸条件のうち１以上を満足するのが良い。第１レンズ群Ｌ１に含まれ、条件式（１）を満足する正レンズの材料のアッベ数をνｄとする。第２レンズ群Ｌ２は複数の正レンズを有し、複数の正レンズの材料の屈折率の平均値をｎｄａｖｅとする。第１レンズ群Ｌ１は、最も物体側に、物体側の面が凸でメニスカス形状の負レンズを有し、負レンズの材料の屈折率と、物体側のレンズ面の曲率半径を各々ｎｄＧ１、ｒ１とする。第１レンズ群Ｌ１の焦点距離をｆ１とする。
【００３０】
このとき、
νｄ＜２３                ・・・（２）
ｎｄａｖｅ＞１．７５      ・・・（３）
ｎｄＧ１＞１．８０        ・・・（４）
−４＜ｒ１／ｆ１＜−１    ・・・（５）
なる条件式のうち１以上を満足するのが良い。条件式（２）は第１レンズ群Ｌ１内の正レンズにアッベ数の小さい高分散材料を使用し、色収差を補正するためのものである。
【００３１】
各実施例において第１レンズ群Ｌ１は負の屈折力であるので、レンズ群内の色消しを良好に行なうため正レンズには高分散材料を使用している。これにより、レンズ群内の色消しの対となる負レンズに高分散材料で高屈折率の材料を使用することができるようにして、広画角ズームレンズで生じやすいサジタル像面湾曲を良好に補正している。条件式（２）の上限を超えると第１レンズ群Ｌ１内の色消しのために第１レンズ群Ｌ１内の負レンズに低分散材料を用いなくてはならなくなる。一般的に低分散材料は、屈折率が低く、このためサジタル像面湾曲などの補正が困難になる。
【００３２】
更に好ましくは、条件式（２）を
１８＜νｄ＜２３        ・・・（２ａ）
の如く設定するのが好ましい。
【００３３】
条件式（３）は第２レンズ群Ｌ２内の正レンズの材料の平均屈折率に関する。従来、望遠側において色収差を補正するために軸上光束の入射高が高くなる第２レンズ群Ｌ２の正レンズに部分分散性が高く、低屈折率の材料を用いていた。これにより各実施例では第２レンズ群Ｌ２で必要であった部分分散性を第１レンズ群Ｌ１内の正レンズに移している。これにより、第２レンズ群Ｌ２に高屈折率の材料が使用できるようにして球面収差と色収差（特に軸上色収差）の補正を良好に行なっている。条件式（３）の下限を超えると口径に依存する球面収差とコマ収差が増大してくるので良くない。
【００３４】
条件式（４）、（５）は、最も物体側に位置するメニスカス形状の負レンズの材料の屈折率とレンズ形状に関する。サジタル像面湾曲は軸外光束の入射高が高い第１レンズ群のレンズ形状に大きく起因している。このため、第１レンズ群Ｌ１内の負レンズに条件式（４）を満足する高屈折率材料を用い、かつレンズ形状を条件式（５）を満足するようにして像面湾曲を良好に補正している。
【００３５】
条件式（４）、（５）を外れると、全ズーム範囲にわたり、像面湾曲を良好に補正するのが困難になる。更に好ましくは、条件式（４）、（５）を
ｎｄＧ１＞１．８５                  ・・・（４ａ）
−３．５＜ｒ１／ｆ１＜−１．５      ・・・（５ａ）
の如く設定するのが好ましい。
【００３６】
次に各レンズ群のレンズ構成について説明する。以下、各レンズ群のレンズ構成は物体側から像側の順に配置されているものとする。第１レンズ群Ｌ１は物体側の面が凸でメニスカス形状の負レンズＧ１１、両レンズ面が凹形状の負レンズＧ１２、物体側の面が凸形状の正レンズＧ１３から成っている。第２レンズ群Ｌ２は像側の面が凹形状の負レンズＧ２１と両レンズ面が凸形状の正レンズＧ２２とを接合した接合レンズ、両レンズ面が凸形状の正レンズＧ２３、物体側の面が凸形状の正レンズＧ２４より成っている。
【００３７】
第３レンズ群Ｌ３は両レンズ面が凹形状の負レンズＧ３１、両レンズ面が凹形状の負レンズＧ３２と両レンズ面が凸形状の正レンズＧ３３とを接合した接合レンズより成っている。第４レンズ群Ｌ４は像側の面が凹形状の負レンズＧ４１と両レンズ面が凸形状の正レンズＧ４２とを接合した接合レンズ、両レンズ面が凸形状の正レンズＧ４３より成っている。第５レンズ群Ｌ５は両レンズ面が凸形状の正レンズＧ５１、両レンズ面が凹形状の負レンズＧ５２より成っている。第６レンズ群Ｌ６は両レンズ面が凸形状の正レンズより成っている。
【００３８】
次に実施例１、２に示したズームレンズを撮像装置に適用した実施例を図５を用いて説明する。図５は一眼レフカメラの要部概略図である。図５において、１０は実施例１、２のズームレンズ１を有する撮影レンズである。ズームレンズ１は保持部材である鏡筒２に保持されている。２０はカメラ本体であり、撮影レンズ１０からの光束を上方に反射するクイックリターンミラー３、撮影レンズ１０の像形成位置に配置された焦点板４より構成されている。更に、焦点板４に形成された逆像を正立像に変換するペンタダハプリズム５、その正立像を観察するための接眼レンズ６などによって構成されている。
【００３９】
７は感光面であり、ＣＣＤセンサやＣＭＯＳセンサ等の像を受光する固体撮像素子（光電変換素子）や銀塩フィルムが配置される。撮影時にはクイックリターンミラー３が光路から退避して、感光面７上に撮影レンズ１０によって像が形成される。実施例１、２にて説明した利益は、本実施例に開示したような撮像装置において効果的に享受される。尚、本実施例ではクイックリターンミラーのない一眼レフカメラにも同様に適用することができる。
【００４０】
以下に実施例１、２に対応する数値実施例１、２を示す。各数値実施例においてｉは物体側からの面の順番を示す。数値実施例においてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料の屈折率とアッベ数である。ＢＦはバックフォーカスである。非球面形状は光軸方向にＸ軸、光軸と垂直方向にＨ軸、光の進行方向を正とし、ｒを近軸曲率半径、各非球面係数をＡ４、Ａ６、Ａ８、Ａ１０、Ａ１２としたとき
【００４１】
【数１】
0005535023.tif 000002
【００４２】
で与えるものとする。「ｅ−ｘ」は１０-xを意味する。前述の各条件式と数値実施例の関係を表１に示す。
【００４３】
［数値実施例１］
単位 mm
面データ
面番号       r        d      nd         νd
1*       118.198    2.50   1.85400    40.4           
2         32.634   13.07                             
3       -163.403    2.30   1.77250    49.6           
4         81.290    0.55                             
5         70.200    4.08   1.92286    18.9           
6        152.179  (可変)                             
7        711.348    1.90   1.80518    25.4           
8         53.949    5.71   1.77250    49.6           
9       -165.565    0.15                             
10        100.780    3.80   1.83481    42.7           
11       -271.032    2.39                             
12         44.062    4.89   1.69680    55.5           
13        704.565  (可変)                             
14          ∞       1.92                             
15       -124.320    1.30   1.88300    40.8           
16         46.486    2.44                             
17        -87.213    1.30   1.72000    50.2           
18         41.011    4.26   1.80518    25.4           
19        -88.417    0.48                             
20(絞り)    ∞     (可変)                             
21        103.464    1.30   1.84666    23.9           
22         23.591    6.12   1.49700    81.5           
23        -82.833    1.20                             
24         34.667    4.40   1.61800    63.3           
25       -116.798  (可変)                             
26        347.196    3.07   1.80809    22.8           
27        -43.713    0.10                             
28        -51.755    1.20   1.83400    37.2           
29         27.958  (可変)                             
30         51.982    6.34   1.58313    59.4           
31*      -149.954  (可変)                             
像面        ∞   
非球面データ
第1面
K = 0.00000e+000  A 4= 1.12374e-006  A 6= 7.74070e-010  A 8=-1.85284e-012
A10= 1.79073e-015  A12=-6.28159e-019  
第31面
K = 0.00000e+000  A 4= 6.83372e-007  A 6=-1.01210e-008  A 8= 6.39805e-011
A10=-1.95942e-013  A12= 2.35213e-016  
各種データ
ズーム比      2.75 
広角     中間     望遠
焦点距離      24.70    35.70    68.00  
半画角（度）  41.21    31.21    17.65  
像高          21.64    21.64    21.64  
レンズ全長   201.98   185.29   168.85  
BF            41.71    41.71    41.71  
d 6           56.98    31.56     3.45  
d13            2.60     6.90    20.13  
d20           19.08    14.78     1.56  
d25            0.96     3.40    12.55  
d29            3.89    10.16    12.69  
d31           41.71    41.71    41.71  
ズームレンズ群データ
群  始面    焦点距離  
1    1     -36.10  
2    7      33.02  
3   14     -45.33  
4   21      43.61  
5   26     -40.27  
6   30      66.97
【００４４】
［数値実施例２］
単位 mm
面データ
面番号       r        d      nd         νd
1*       106.468    2.50   1.85400    40.4           
2         32.905   13.10                             
3       -149.850    2.30   1.77250    49.6           
4         83.237    0.86                             
5         80.026    3.89   1.92286    18.9           
6        184.393  (可変)                             
7       -472.687    1.90   1.80518    25.4           
8         60.248    5.52   1.77250    49.6           
9       -154.955    0.20                             
10        106.156    4.00   1.88300    40.8           
11       -183.624    0.15                             
12         42.726    4.78   1.72916    54.7           
13        330.022  (可変)                             
14          ∞       1.89                             
15       -156.023    1.30   1.88300    40.8           
16         45.965    2.48                             
17        -87.778    1.30   1.72000    50.2           
18         59.283    3.62   1.80809    22.8           
19        -94.325    0.49                             
20(絞り)    ∞     (可変)                             
21        112.332    1.30   1.84666    23.9           
22         22.167    6.49   1.49700    81.5           
23        -77.614    1.40                             
24         34.311    4.31   1.67790    55.3           
25       -147.476  (可変)                             
26        493.290    3.09   1.80809    22.8           
27        -41.809    0.05                             
28        -50.890    1.20   1.83400    37.2           
29         27.760  (可変)                             
30         54.178    6.56   1.58313    59.4           
31*      -119.504  (可変)                             
像面        ∞   
非球面データ
第1面
K = 0.00000e+000  A 4= 1.00056e-006  A 6= 1.05287e-009  A 8=-2.23584e-012
A10= 2.08279e-015  A12=-7.18763e-019  
第31面
K = 0.00000e+000  A 4= 1.03251e-007  A 6=-9.37908e-009  A 8= 6.31048e-011
A10=-1.95942e-013  A12= 2.35213e-016  
各種データ
ズーム比      2.75 
広角     中間     望遠
焦点距離      24.70    35.60    68.00  
半画角（度）  41.22    31.28    17.65  
像高          21.64    21.64    21.64  
レンズ全長   200.09   183.25   166.09  
BF            39.82    39.82    39.82  
d 6           56.43    31.37     3.21  
d13            4.16     8.56    22.48  
d20           19.90    15.51     1.58  
d25            0.96     3.12    11.38  
d29            4.13    10.19    12.93  
d31           39.82    39.82    39.82  
ズームレンズ群データ
群  始面    焦点距離  
1    1     -36.50  
2    7      32.58  
3   14     -45.11  
4   21      42.81  
5   26     -39.61  
6   30      64.83  
【００４５】
【表１】
0005535023.tif 000003
【符号の説明】
【００４６】
ＳＰ  開口絞り、ＳＳＰ  Ｆナンバー絞り、ΔＳ  サジタル像面、
ΔＭ  メリディオナル像面、Ｌ１  第１レンズ群、Ｌ２  第２レンズ群、
Ｌ３  第３レンズ群、Ｌ４  第４レンズ群、Ｌ５  第５レンズ群、Ｌ６  第６レンズ群
【図１】
0005535023.tif 000004
【図３】
0005535023.tif 000005
【図５】
0005535023.tif 000006
【図２】
0005535023.tif 000007
【図４】
0005535023.tif 000008